(57)【要約】【課題】床仕上げ材上面のレベル差が目立ちにくくすることが可能な温調床を提供する。【解決手段】床下地Ｆ上に床暖房マット１が敷設され、その周囲に板状のダミー材３０が敷設され、これらの上面に跨って床仕上げ材４０が敷設されている。ダミー材３０は、床暖房マット１よりも厚さが小さいものとなっている。床暖房マット１の周縁部の上面レベルがダミー材３０の上面と略同レベルとなるように、床暖房マット１の周縁部付近において、床暖房マット１の各基板１０の上面が該周縁部側ほど下位となるように傾斜している。【選択図】図５
2010096406.tif 000002
【特許請求の範囲】
【請求項１】
床下地上に温調マットが敷設されると共に、該温調マットの周囲の床下地上に板状のダミー材が敷設され、該温調マット及びダミー材の上面に跨って床仕上げ材が敷設された温調床において、
該ダミー材は、該温調マットよりも厚さが小さいものであり、
該温調マットは、その周縁部の上面レベルが該ダミー材の上面と略同レベルとなるように、少なくとも該周縁部の近傍において、その上面が該周縁部側ほど下位となるように傾斜していることを特徴とする温調床。
【請求項２】
請求項１において、該温調マットは、上面に配管配設用の溝が設けられた基板と、
該溝内に引き回された温調配管と
を備えており、
該基板の上面のうち、該基板の周縁部と、該周縁部に最も近接した溝との間の部分が該周縁部側ほど下位となるように傾斜していることを特徴とする温調床。
【請求項３】
請求項２において、該基板の厚さは、該温調配管の外径と略同等の大きさであることを特徴とする温調床。
【請求項４】
請求項３において、前記ダミー材の厚さは５〜６ｍｍであることを特徴とする温調床。
【請求項５】
床下地上に温調マットが敷設されると共に、該温調マットの周囲の床下地上に板状のダミー材が敷設され、該温調マット及びダミー材の上面に跨って床仕上げ材が敷設された温調床において、
該ダミー材は、該温調マットよりも厚さが小さいものであり、
該ダミー材の上面のうち少なくとも該温調マットの周縁部の近傍に、接着剤浸透性を有するシートが重なっており、
前記床仕上げ材は、該シートを跨いで該ダミー材の上面及び温調マットの上面に重なり、接着剤により該ダミー材及び温調マットに接着されており、
該床仕上げ材が該シートに重なった部分においては、該シートに浸透した該接着剤により該床仕上げ材と該ダミー材とが接着されていることを特徴とする温調床。
【請求項６】
請求項５において、該シートは、不織布又は紙よりなることを特徴とする温調床。
【請求項７】
請求項５又は６において、該シートは、前記温調マットの周縁部に連結されていることを特徴とする温調床。
【請求項８】
請求項５ないし７のいずれか１項において、該温調マットは、上面に配管配設用の溝が設けられた基板と、
該溝内に引き回された温調配管と
を備えており、
該基板の厚さは、該温調配管の外径と略同等の大きさであることを特徴とする温調床。
【請求項９】
請求項８において、前記ダミー材の厚さは５〜６ｍｍであることを特徴とする温調床。
【請求項１０】
請求項５ないし９のいずれか１項において、該温調マットの周縁部の延在方向と略直交方向における前記シートの幅は２０〜５０ｍｍであることを特徴とする温調床。
【発明の詳細な説明】
【技術分野】
【０００１】
本発明は、床下地上に温調マットが敷設されると共に、該温調マットの周囲の床下地上に板状のダミー材が敷設され、該温調マット及びダミー材の上面に跨って床仕上げ材が敷設された温調床に関する。
【０００２】
特に、本発明は、上面に配管配設用の溝が設けられた基板と、該溝内に引き回された温調配管とを備えた温調マットを用いて構築するのに好適な温調床に関する。
【背景技術】
【０００３】
基板の上面の溝に温水配管を引き回した温調マットを床に敷設した暖房床が周知である。
【０００４】
特開２００６−２２６６０４号公報には、床下地上に温調マットを敷設すると共に、この温調マットの周囲の床下地上に板状のダミー材を敷設し、これらの上から床全体に床仕上げ材（同号公報ではフローリング）を敷設して暖房床を構築することが記載されている。同号公報の第１，２図の通り、この床仕上げ材は、温調マットとその周囲のダミー材との上面に跨って敷設される。
【０００５】
一般的に、このダミー材としては、既製の合板を必要な形状及び大きさにカットしたり継ぎ足したりして製作される。一般に流通している規格品の合板には、厚さ５．５ｍｍのもの、厚さ９ｍｍのもの、厚さ１２ｍｍのものなどがある。
【０００６】
暖房床を構築したことにより室の床レベルが過度に高くなることを防止するために、温調マット及びダミー材の厚さをできるだけ小さくすることが望ましい。
【０００７】
この場合、温調マットには温水配管が引き回されているので、温調マットの厚さは少なくとも温水配管の外径以上となる。通常の場合、この温水配管も、一般に流通している規格品である。温調マットの厚さを小さくするために、外径の小さい温水配管を用いることが考えられるが、一般的には、温調マットに用いられる規格品の温水配管としては、外径６ｍｍのものが最小とされる。それよりも外径が小さい規格品の温水配管を用いると、この温水配管内を流れる温水の圧力損失が大きくなり、十分に温水を循環させることができなくなるおそれがある。
【０００８】
ダミー材としては、温調マットと同等の厚さの合板を用いるのが望ましいが、規格品の合板に温調マットと同等の厚さのものが無い場合には、温調マットが床仕上げ材に確実に接するようにするために、温調マットよりも１サイズ厚さの小さい合板が用いられる。
【０００９】
例えば、温調マットの温水配管として外径６ｍｍの規格品を用い、温調マットの基板の厚さもこの温水配管と同等程度とした場合には、ダミー材を製作するための規格品の合板としては、厚さ９ｍｍのものでは厚すぎるので、厚さ５．５ｍｍのものを用いる。
【００１０】
しかしながら、このようにダミー材として温調マットよりも厚さの小さいものを用いると、これらを床下地上に敷設したときに、ダミー材の上面レベルが温調マットの上面よりも低くなり、これらの間に段差が生じる。そのため、これらの上に床仕上げ材を敷設したときに、この段差において床仕上げ材が屈曲し、該床仕上げ材の上面即ち床表面にもレベル差が生じる。その結果、この床のレベル差が視認されて見栄えが悪くなったり、居住者等が床に触れたときにこのレベル差が感取され、座り心地や歩き心地が悪くなるおそれがある。
【００１１】
なお、温調マットの基板の周縁部を、例えば基板中央側よりも発泡倍率の高い比較的軟質な発泡樹脂により形成し、床仕上げ材を敷設したときに、この基板の周縁部が押し潰されて温調マットとダミー材との間の段差が緩和されるように構成することが考えられる。しかしながら、温調マットの基板をこのように構成することは技術的に容易ではなく、且つ高コストである。
【特許文献１】特開２００６−２２６６０４号公報
【発明の開示】
【発明が解決しようとする課題】
【００１２】
本発明は、簡易な構成にて、この床仕上げ材の上面のレベル差を目立ちにくくすることが可能な温調床を提供することを目的とする。
【課題を解決するための手段】
【００１３】
本発明（請求項１）の温調床は、床下地上に温調マットが敷設されると共に、該温調マットの周囲の床下地上に板状のダミー材が敷設され、該温調マット及びダミー材の上面に跨って床仕上げ材が敷設された温調床において、該ダミー材は、該温調マットよりも厚さが小さいものであり、該温調マットは、その周縁部の上面レベルが該ダミー材の上面と略同レベルとなるように、少なくとも該周縁部の近傍において、その上面が該周縁部側ほど下位となるように傾斜していることを特徴とするものである。
【００１４】
請求項２の温調床は、請求項１において、該温調マットは、上面に配管配設用の溝が設けられた基板と、該溝内に引き回された温調配管とを備えており、該基板の上面のうち、該基板の周縁部と、該周縁部に最も近接した溝との間の部分が該周縁部側ほど下位となるように傾斜していることを特徴とするものである。
【００１５】
請求項３の温調床は、請求項２において、該基板の厚さは、該温調配管の外径と略同等の大きさであることを特徴とするものである。
【００１６】
請求項４の温調床は、請求項３において、前記ダミー材の厚さは５〜６ｍｍであることを特徴とするものである。
【００１７】
本発明（請求項５）の温調床は、床下地上に温調マットが敷設されると共に、該温調マットの周囲の床下地上に板状のダミー材が敷設され、該温調マット及びダミー材の上面に跨って床仕上げ材が敷設された温調床において、該ダミー材は、該温調マットよりも厚さが小さいものであり、該ダミー材の上面のうち少なくとも該温調マットの周縁部の近傍に、接着剤浸透性を有するシートが重なっており、前記床仕上げ材は、該シートを跨いで該ダミー材の上面及び温調マットの上面に重なり、接着剤により該ダミー材及び温調マットに接着されており、該床仕上げ材が該シートに重なった部分においては、該シートに浸透した該接着剤により該床仕上げ材と該ダミー材とが接着されていることを特徴とするものである。
【００１８】
請求項６の温調床は、請求項５において、該シートは、不織布又は紙よりなることを特徴とするものである。
【００１９】
請求項７の温調床は、請求項５又は６において、該シートは、前記温調マットの周縁部に連結されていることを特徴とするものである。
【００２０】
請求項８の温調床は、請求項５ないし７のいずれか１項において、該温調マットは、上面に配管配設用の溝が設けられた基板と、該溝内に引き回された温調配管とを備えており、該基板の厚さは、該温調配管の外径と略同等の大きさであることを特徴とするものである。
【００２１】
請求項９の温調床は、請求項８において、前記ダミー材の厚さは５〜６ｍｍであることを特徴とするものである。
【００２２】
請求項１０の温調床は、請求項５ないし９のいずれか１項において、該温調マットの周縁部の延在方向と略直交方向における前記シートの幅は２０〜５０ｍｍであることを特徴とするものである。
【発明の効果】
【００２３】
本発明（請求項１）の温調床にあっては、床仕上げ材は、温調マットの周縁部付近において、この温調マットの上面に形成された傾斜部に沿って緩やかに温調マットの上面レベルからダミー材の上面レベルまで下降するので、この床仕上げ材のうち温調マットに重なった部分の上面とダミー材に重なった部分の上面とのレベル差が視認されにくく、見栄えが良好である。また、居住者等が床に触れたときに、このレベル差が感取されにくく、座り心地や歩き心地も良好である。
【００２４】
請求項２のように構成することにより、温調マットの周縁部の直近の溝に引き回された温調配管が該温調マットの周縁部の傾斜部に露呈することが防止される。
【００２５】
請求項３のように構成することにより、温調マットは、全体として厚さが小さなものとなる。これにより、温調床を構築した床とそれ以外の床とのレベル差を小さくすることが可能となる。
【００２６】
この場合、請求項４のように、ダミー材として厚さ５〜６ｍｍのものを用いるよう構成することにより、温調床を構築した床とそれ以外の床とのレベル差を著しく小さくすることができる。
【００２７】
本発明（請求項５）の温調床にあっては、ダミー材の上面の温調マット周縁部近傍領域と床仕上げ材との間にシートが介在しており、床仕上げ材は、このシートを押し潰しながら緩やかに温調マットの上面レベルからダミー材の上面レベルまで下降するため、この床仕上げ材のうち温調マットに重なった部分の上面とダミー材に重なった部分の上面とのレベル差が視認されにくく、見栄えが良い。また、居住者等が床に触れたときに、このレベル差が感取されにくく、座り心地や歩き心地も良い。
【００２８】
また、床仕上げ材のうちシートに重なった部分は、このシートに浸透した接着剤によってダミー材に接着されるため、この部分においても床仕上げ材がしっかりとダミー材に固定される。
【００２９】
請求項６の通り、このシートは、不織布又は紙よりなることが好ましい。
【００３０】
請求項７のように、このシートを温調マットの周縁部に連結しておくことにより、温調床を施工する際に温調マットの敷設作業とシートの敷設作業とを別々に行わなくても済むため、温調床の施工作業が容易化される。
【００３１】
請求項８のように構成することにより、温調マットは、全体として厚さが小さなものとなる。これにより、温調床を構築した床とそれ以外の床とのレベル差を小さくすることが可能となる。
【００３２】
この場合、請求項９のように、ダミー材として厚さ５〜６ｍｍのものを用いるよう構成することにより、温調床を構築した床とそれ以外の床とのレベル差を著しく小さくすることができる。
【００３３】
請求項１０のように、温調マットの周縁部の延在方向と略直交方向におけるシートの幅を２０〜５０ｍｍとすることにより、このシートの両側の温調マットの上面レベルからダミー材の上面レベルまで床仕上げ材が緩やかに下降するようになる。
【発明を実施するための最良の形態】
【００３４】
以下、図面を参照して実施の形態について説明する。以下の各実施の形態は、暖房床への本発明の適用例である。なお、以下の各実施の形態は本発明の一例であり、本発明は以下の各実施の形態以外の形態をもとりうる。
【００３５】
［請求項１の実施の形態に係る暖房床］
第１図は請求項１の実施の形態に係る暖房床の平面図、第２図は第１図のII−II線に沿う断面図、第３図はこの暖房床を構成する床暖房マット１の第２図と同様部分の分解断面図、第４図は第２図のIV部分の拡大断面図、第５図は床仕上げ材敷設後の第４図と同様部分の断面図、第６図は第１図のVI−VI線に沿う断面図、第７図は接着剤塗付後の床暖房マット１の周縁部付近の平面図である。なお、第１図では均熱シート、均熱板及び床仕上げ材の図示が省略されている。また、第２図でも床仕上げ材の図示が省略されている。第４，５図においては、基板の溝の底面を塞ぐ裏張りシートの図示が省略されている。第７図では均熱シート、均熱板の図示が省略されている。
【００３６】
第１図の通り、略長方形状の室の床下地Ｆ上に温調マットとしての略長方形状の床暖房マット１が敷設され、その周囲に板状のダミー材３０が敷設されている。そして、これらの床暖房マット１及びダミー材３０の上から床仕上げ材４０（第４〜６図）が敷設されることにより、暖房床が構築されている。このダミー材３０は、床暖房マット１よりも厚さが小さいものとなっている。床仕上げ材４０は、この床暖房マット１とダミー材３０との上面に跨って敷設されている。
【００３７】
この床暖房マット１は、複数枚の略長方形の薄板状の基板１０と、隣り合う基板１０，１０同士の間にそれぞれ配設された複数本の小根太２０と、各基板１０の上面に設けられた配管配設用の溝２と、この溝２内に引き回された温調配管としての温水配管３と、各基板１０の上面を覆うように配置され、各基板１０の上面に付着された均熱シート５と、該温水配管３と接するように溝２の内面から各基板１０の上面にかけて配設された均熱板６と、溝２の底部を塞ぐように各基板１０の下面に貼り付けられた裏張りシート７等を備えている。
【００３８】
第２，３図に示すように、この実施の形態では、各基板１０は、各々の底面に溝２が露呈する厚さとなっている。
【００３９】
第２図の通り、この実施の形態では、各基板１０の上面からの溝２の深さは、温水配管３の外径と略等しいものとなっている。即ち、各基板１０の厚さも、温水配管３の外径と略等しいものとなっている。
【００４０】
温水配管３は、第２，３図の通り、略円形の断面形状となっている。
【００４１】
本発明においては、この温水配管３の外径φ（第４図）は、通常、６〜１３ｍｍ、特に６〜７ｍｍであることが好ましい。通常、この温水配管３としては、一般に流通している規格品が用いられる。この実施の形態では、温水配管３として、この規格品の温水配管のうち外径６ｍｍのものを用いている。なお、この規格品の外径６ｍｍの温水配管とは、実質的に外径が６ｍｍであり、±０．２〜０．４ｍｍ程度の寸法誤差を許容するものである。ただし、本発明においては、温水配管３の外径φはこれに限定されるものではなく、これ以外の外径寸法を有する規格品の温水配管を用いてもよい。また、本発明においては、温水配管３として規格品以外のものを用いてもよい。
【００４２】
各基板１０の厚さＨ１（第４図）は、通常、６〜１５ｍｍ、特に６〜７ｍｍであることが好ましい。とりわけ、各基板１０の厚さＨ１は、通常、温水配管３の外径φ＋０．０５〜４ｍｍ、特に温水配管３の外径φ＋０．０５〜０．２ｍｍであることが好ましい。
【００４３】
なお、本発明においては、各基板１０は、その下面に溝２が露呈しない肉厚のものであってもよい。
【００４４】
この実施の形態では、各基板１０同士の間の小根太２０の厚さは、各基板１０と略同等かそれよりも所定厚さまで厚さが小さいもの（例えば基板１０の厚さＨ１−０．１〜０．５ｍｍ程度）となっている。
【００４５】
前記ダミー材３０は、通常、一般に流通している規格品の合板をカットしたり継ぎ足したりして製作される。このダミー材３０を製作するための合板としては、床暖房マット１が確実に床仕上げ材４０に接するようにするために、その厚さＨ２（第４図）が各基板１０の厚さＨ１よりも小さいものが用いられる。
【００４６】
前述の通り、この実施の形態では、温水配管３の外径φが実質的に６ｍｍであり、各基板１０の厚さＨ１もこれと略同等かそれよりも若干大きい程度である。一般的に、規格品の合板のうち、この基板１０の厚さＨ１に近いものとしては、厚さ５．５ｍｍのものと厚さ９ｍｍのものとがある。従って、この実施の形態では、ダミー材３０を製作するための合板としては、各基板１０の厚さＨ１よりも１サイズ小さい厚さ５．５ｍｍの規格品の合板を用いる。
【００４７】
なお、この厚さ５．５ｍｍの規格品の合板とは、実質的に厚さが５．５ｍｍであり、±０．２〜０．４ｍｍ程度の寸法誤差を許容するものである。ただし、本発明においては、ダミー材３０を製作するための合板の厚さはこれに限定されるものではなく、これ以外の厚さ寸法を有する規格品の合板を用いてもよい。また、本発明においては、ダミー材３０を規格品の合板以外の材料により製作してもよい。
【００４８】
本発明においては、ダミー材３０の厚さＨ２は、通常、５．５〜１５ｍｍ、特に５．５〜１２ｍｍであることが好ましい。とりわけ、このダミー材３０の厚さＨ２は、通常、基板１０の厚さＨ１−０〜１ｍｍ、特に基板１０の厚さＨ１−０〜０．３ｍｍ程度であることが好ましい。
【００４９】
この床暖房マット１にあっては、第４図の通り、その周縁部の上面レベルがダミー材３０の上面と略同レベルとなるように、その周縁部付近において、各基板１０の上面が該周縁部側ほど下位となるように傾斜している。以下、各基板１０の上面のうち、このように床暖房マット１の周縁部側へ傾斜した部分を傾斜部１０ａと称する。
【００５０】
本発明においては、床暖房マット１の周縁部に臨む各基板１０の端辺の延在方向と直交方向における傾斜部１０ａの幅Ｗ１（第４図）は５〜３０ｍｍ、特に１０〜２０ｍｍ程度であることが好ましい。また、この傾斜部１０ａの床下地Ｆに対する傾斜角度θ（第４図）は、０〜１２゜特に０〜６゜程度であることが好ましい。
【００５１】
なお、第４図では、床暖房マット１及びダミー材３０を床下地Ｆ上に敷設した状態において、該床暖房マット１の周縁部の上面レベルとダミー材３０の上面レベルとが合致しているように図示されているが、本発明においては、床暖房マット１の周縁部の上面レベルがダミー材３０の上面と略同レベルであるとは、両者の上面レベルが若干（例えば０．１〜０．３ｍｍ程度）上下にずれていてもよいことを示している。
【００５２】
この実施の形態では、床仕上げ材４０として、フローリング材を用いている。このフローリング材も、一般に規格品として流通しているものである。詳しい図示は省略するが、この規格品のフローリング材は、一般的に、短辺が実質的に３０３ｍｍ（１尺）であり、長辺が実質的に３０３ｍｍの整数倍の帯板状のものとなっている。
【００５３】
床暖房マット１も、一般的に、縦横の長さがそれぞれ実質的に３０３ｍｍの整数倍となっている。
【００５４】
以下に、この実施の形態における床暖房マット１の構成についてさらに詳細に説明する。なお、以下の説明において、上下方向及び左右方向とはそれぞれ第１図における上下方向及び左右方向と合致する。
【００５５】
この実施の形態では、床暖房マット１は、それぞれ略長方形状の小マットＡ〜Ｄを配列してなる。
【００５６】
第１図の通り、小マットＡ，Ｂが左右に隣り合うように配列され、小マットＣ，Ｄが左右に隣り合い、且つ該小マットＡ，Ｂに隣接するように配列されている。
【００５７】
この実施の形態では、小マットＡ，Ｂ同士及びＣ，Ｄ同士は、それぞれ、各々の短辺の長さが略同等となっており、小マットＡ，Ｃ同士及びＢ，Ｄ同士は、それぞれ、各々の長辺の長さが略同等となっている。
【００５８】
小マットＡ，Ｂ同士及びＣ，Ｄ同士は、それぞれ、互いの短辺同士を突き合わせるように配置されている。また、小マットＡ，Ｂの列と小マットＣ，Ｄの列との間では、小マットＡ，Ｃ同士及びＢ，Ｄ同士が、それぞれ、互いの長辺同士を突き合わせるように配置されている。即ち、この実施の形態では、各小マットＡ〜Ｄの長辺方向が床暖房マット１の長辺方向となり、各小マットＡ〜Ｄの短辺方向が床暖房マット１の短辺方向となっている。
【００５９】
符号Ｔ１は、小マットＡ，Ｂ間及びＣ，Ｄ間における小マット同士の突き合わせ部を示し、Ｔ２は小マットＡ，Ｂの列と小マットＣ，Ｄの列との間における小マット同士の突き合わせ部を示している。
【００６０】
この実施の形態では、小マットＡ，Ｂ間、Ｃ，Ｄ間及びＡ，Ｃ間において、それぞれ、各突き合わせ部Ｔ１，Ｔ２を跨いで一方の小マットから他方の小マットに連続して温水配管３が引き回されており、この温水配管３により、小マットＡ，Ｂ同士、Ｃ，Ｄ同士及びＡ，Ｃ同士が連結されている。
【００６１】
この実施の形態では、小マットＡ〜Ｄ間を該突き合わせ部Ｔ１，Ｔ２に沿って折ることにより、床暖房マット１を折り畳むことができるようになっている。
【００６２】
この実施の形態では、小マットＡ，Ｃは、それぞれ、６枚の帯板状（細長い長方形状）の基板１０と、５本の小根太２０とを、各々の長手方向を各小マットＡ，Ｃの短辺方向として、各小マットＡ，Ｃの長辺方向に交互に配列した如き構成となっている。
【００６３】
また、小マットＢ，Ｄは、それぞれ、５枚の帯板状の基板１０と、４本の小根太２０とを、各々の長手方向を各小マットＢ，Ｄの短辺方向として、各小マットＢ，Ｄの長辺方向に交互に配列した如き構成となっている。
【００６４】
各基板１０は、各々の長側辺を隣接する小根太２０に突き合わせるようにして配置されている。各基板１０の長さは、各小マットＡ〜Ｄの短辺方向の幅と略等しい。また、各小根太２０の長さは、各基板１０の長さよりも短い。
【００６５】
以下、小マットＡ，Ｂの列及び小マットＣ，Ｄの列の各小根太２０を、それぞれ、第１図において最も左側に配置された小根太２０から順に１列目の小根太２０、２列目の小根太２０、３列目の小根太２０、４列目の小根太２０、５列目の小根太２０、６列目の小根太２０、７列目の小根太２０、８列目の小根太２０及び９列目の小根太２０と称する。
【００６６】
第１図の通り、この実施の形態では、小マットＡ，Ｂの列においては、奇数列目の小根太２０の前記突き合わせ部Ｔ２と反対側の端部（以下、この突き合わせ部Ｔ２と反対側の端部を外側端部ということがある。）は、それぞれ、各小マットＡ，Ｂの該突き合わせ部Ｔ２と反対側の辺（以下、この突き合わせ部Ｔ２と反対側の辺を外側辺ということがある。）に揃っている。また、これらの小根太２０の該突き合わせ部Ｔ２側の端部（以下、この突き合わせ部Ｔ２側の端部を内側端部ということがある。）は、それぞれ、各小マットＡ，Ｂの該突き合わせ部Ｔ２側の辺（以下、この突き合わせ部Ｔ２側の辺を内側辺ということがある。）から離隔している。この奇数列目の小根太２０を挟んで隣り合う基板１０，１０同士は、それぞれ、これらの小根太２０の内側端部を回り込むように形成された連結部１１によって連結されている。
【００６７】
この小マットＡ，Ｂの列における偶数列目の小根太２０の内側端部は、それぞれ、各小マットＡ，Ｂの内側辺に揃っている。また、これらの小根太２０の外側端部は、それぞれ、各小マットＡ，Ｂの外側辺から離隔している。この偶数列目の小根太２０を挟んで隣り合う基板１０，１０同士は、それぞれ、これらの小根太２０の外側端部を回り込むように形成された連結部１１によって連結されている。
【００６８】
小マットＣ，Ｄの列においては、奇数列目の小根太２０の内側端部は、それぞれ、各小マットＣ，Ｄの内側辺に揃っている。また、これらの小根太２０の外側端部は、それぞれ、各小マットＣ，Ｄの外側辺から離隔している。この奇数列目の小根太２０を挟んで隣り合う基板１０，１０同士は、それぞれ、これらの小根太２０の外側端部を回り込むように形成された連結部１１によって連結されている。
【００６９】
この小マットＣ，Ｄの列における偶数列目の小根太２０の外側端部は、それぞれ、各小マットＣ，Ｄの外側辺に揃っている。また、これらの小根太２０の外側端部は、それぞれ、各小マットＣ，Ｄの内側辺から離隔している。この偶数列目の小根太２０を挟んで隣り合う基板１０，１０同士は、それぞれ、これらの小根太２０の内側端部を回り込むように形成された連結部１１によって連結されている。
【００７０】
各連結部１１の小根太２０と反対側には、それぞれ、小小根太２１が取り付けられている。
【００７１】
この実施の形態では、小マットＡ，Ｃの左端辺及び小マットＢ，Ｄの右端辺に臨む各基板１０の長側辺付近の上面が、該長側辺側ほど下位となるように傾斜した前記傾斜部１０ａとなっている。また、小マットＡ〜Ｄの外側辺に臨む各基板１０の短辺付近の上面も、該短辺側ほど下位となるように傾斜した傾斜部１０ａとなっている。
【００７２】
この実施の形態では、第４，５図に示すように、これらの基板１０の長側辺及び短辺と、該長側辺及び短辺に最も近接した溝２との間の基板上面が傾斜部１０ａとなっている。なお、この実施の形態では、第４，５図の通り、この溝２の該長側辺側及び短辺側の上縁の直近から基板上面が傾斜しているが、この溝２から該長側辺側及び短辺側へ所定距離離隔した位置から基板上面が傾斜していてもよい。
【００７３】
このように、基板１０の長側辺及び短辺と、該長側辺及び短辺に最も近接した溝２との間の基板上面を傾斜部１０ａとすることにより、この溝２の該長側辺側及び短辺側の上縁が基板１０の上面と同レベルとなっているので、温水配管３が傾斜部１０ａに露呈しない。
【００７４】
この実施の形態では、第６図に示すように、小マットＡ〜Ｄの外側辺に臨む各小根太２０及び小小根太２１の外側端部付近の上面も、該外側端部の上面レベルがダミー材３０の上面と略同レベルとなるように、該外側端部側ほど下位となるように傾斜している。以下、各小根太２０及び小小根太２１の上面のうち、このように外側端部側へ傾斜した部分を傾斜部２２と称する。
【００７５】
各小根太２０及び小小根太２１の傾斜部２２は、各基板１０の傾斜部１０ａと略面一状に連続するように形成されている。即ち、各基板１０の傾斜部１０ａと同様に、小マットＡ〜Ｄの外側辺と略直交方向における各小根太２０及び小小根太２１の傾斜部２２の幅は、５〜３０ｍｍ、特に１０〜２０ｍｍ程度であることが好ましい。また、この傾斜部２２の床下地Ｆに対する角度は０〜１２゜、特に０〜６゜程度であることが好ましい。
【００７６】
この実施の形態では、各基板１０にそれぞれ６条の溝２が設けられている。
【００７７】
この実施の形態では、第２，３図の通り、各溝２の長手方向と直交方向（即ち溝２の幅方向）の断面形状は、その底部が該温水配管３の外面に沿うように半円弧状に湾曲した略Ｕ字形となっている。この溝２の底部の幅方向の中央付近が、各基板１０を貫通して各基板１０の下面に露呈している。ただし、溝２の断面形状はこれに限定されるものではなく、例えば各基板１０の上面側から、その底面まで略等幅の略方形の断面形状などであってもよい。
【００７８】
連結部１１によって連結された基板１０，１０同士の間においては、各基板１０の溝２同士は該連結部１１を通って連続している。
【００７９】
詳しい図示は省略するが、この実施の形態では、小マットＡの左端側の基板１０においては、各溝２の小マットＣ側の端部は、それぞれ突き合わせ部Ｔ２に臨んでいる。また、小マットＣの左端側の基板１０においても、各溝２の小マットＡ側の端部は、それぞれ突き合わせ部Ｔ２に臨んでいる。マット展開時には、この小マットＡ側の各溝２と小マットＣ側の各溝２の端部同士がそれぞれ対面し、これにより、各溝２は該突き合わせ部Ｔ２を跨いで小マットＡから小マットＣに連続したものとなる。
【００８０】
小マットＡ，Ｂ間及びＣ，Ｄ間においては、それぞれ、小マットＡ，Ｃの右端側の基板１０の各溝２の端部がそれぞれ突き合わせ部Ｔ１に臨んでいると共に、小マットＢ，Ｄの左端側の基板１０の各溝２の端部がそれぞれ突き合わせ部Ｔ１に臨んでいる。マット展開時には、この小マットＡ，Ｃ側の各溝２と小マットＢ，Ｄ側の各溝２の端部同士がそれぞれ対面し、これにより、各溝２は該突き合わせ部Ｔ１を跨いで小マットＡ，Ｃから小マットＢ，Ｄに連続したものとなる。
【００８１】
この実施の形態では、小マットＣの左端側の基板１０の外側辺側のコーナー部に、切欠状の配管引き出し用スペース１０ｂが形成されている。この配管引き出し用スペース１０ｂに各溝２の端部が臨んでいる。
【００８２】
前記均熱板６は、この実施の形態では、第２，３図に示すように、溝２の内面に沿うＵ字部６ａと、該Ｕ字部６ａの両端（上端）から各基板１０の上面に沿って側方に延出する１対のフランジ部６ｂとを有した略Ω字形断面形状のものである。
【００８３】
この均熱板６のＵ字部６ａが溝２内に配置され、その上から、温水配管３がこのＵ字部６ａ内に嵌め込まれるようにして溝２に収容されている。
【００８４】
裏張りシート７は、各基板１０の下面に露呈した各溝２を覆うように各基板１０の下面に沿って配置され、接着剤等により各基板１０に貼り付けられている。
【００８５】
なお、第２図に示すように、この実施の形態では、該裏張りシート７は、細長い帯状のものであり、溝２を１条ずつ覆っているが、隣り合う複数の溝２を連続して覆うものであってもよく、あるいは各基板１０の下面の略全体を覆うものであってもよい。
【００８６】
この実施の形態では、該裏張りシート７は、低熱伝導材よりなる。この低熱伝導材としては、不織布や合成樹脂シートあるいは紙等を用いることができる。
【００８７】
これらの低熱伝導材の熱伝導率は、通常、０．０２〜０．５Ｗ／ｍ・ｋ、好ましくは０．０２〜０．１Ｗ／ｍ・ｋである。
【００８８】
この実施の形態では、３本の温水配管３が引き回されている。これらの温水配管３は、各溝２に沿って、前記配管引き出し用スペース１０ｂから小マットＣ，Ａ，Ｂの各基板１０上をこの順に連続して引き回され、該小マットＢの右端側の基板１０上でＵターンし、再び小マットＢ，Ａの各基板１０上をこの順に連続して引き回されて小マットＣに戻り、次いで、小マットＣ，Ｄの各基板１０上をこの順に連続して引き回され、該小マットＤの右端側の基板１０上でＵターンし、再び小マットＤ，Ｃの各基板１０上をこの順に連続して引き回されて配管引き出し用スペース１０ｂに戻る。
【００８９】
なお、温水配管３の配管ルートはこれに限定されない。
【００９０】
各温水配管３の両端側は、それぞれ該配管引き出し用スペース１０ｂから床暖房マット１の外部に引き出されている。
【００９１】
各基板１０の溝２に均熱板６を装着し、各温水配管３を溝２（Ｕ字部６ａ）に収容しつつ上記のように小マットＡ〜Ｄに引き回した後、小マットＡ〜Ｄの上面を覆うように均熱シート５が配置され、この均熱シート５が各小マットＡ〜Ｄの上面に接着剤等により貼り付けられている。この実施の形態では、小マットＡ，Ｂの上面を覆う均熱シート５は、これらの小マットＡ，Ｂ同士の突き合わせ部Ｔ１を跨いで連続したものとなっている。また、小マットＣ，Ｄの上面を覆う均熱シート５も、これらの小マットＣ，Ｄ同士の突き合わせ部Ｔ１を跨いで連続したものとなっている。この小マットＡ，Ｂの列を覆う均熱シート５と、小マットＣ，Ｄの列を覆う均熱シート５とは、突き合わせ部Ｔ２に沿って分断されている。
【００９２】
このように小マットＡ，Ｂの上面に連続して均熱シート５を貼着することにより、各小マットＡ，Ｂを構成する各基板１０及びこれらの間の各小根太２０並びに各小小根太２１が連結されると共に、小マットＡ，Ｂ同士も離反不能に連結されている。また、小マットＣ，Ｄの上面に連続して均熱シート５を貼着することにより、各小マットＣ，Ｄを構成する基板１０及びこれらの間の各小根太２０並びに各小小根太２１が連結されると共に、小マットＣ，Ｄ同士も離反不能に連結されている。
【００９３】
この実施の形態では、基板Ａ，Ｂの列を突き合わせ部Ｔ１に沿って谷折りすると共に、基板Ｃ，Ｄの列も突き合わせ部Ｔ１に沿って谷折りし、その後、基板Ａ，Ｃ間を突き合わせ部Ｔ２に沿って山折りすることにより、床暖房マット１を折り畳むことができる。
【００９４】
ただし、床暖房マット１の折り畳み方法はこれに限定されない。
【００９５】
この実施の形態では、床暖房マット１の外側（この実施の形態では、第１図における床暖房マット１の右下）に温水供給用のヘッダ４が配置されている。なお、ヘッダ４の配置位置は図示の位置に限定されない。
【００９６】
この実施の形態では、配管引き出し用スペース１０ｂに配管引き出し用基板１２が設置されている。この配管引き出し用基板１２は、該配管引き出し用スペース１０ｂから床暖房マット１の外方（この実施の形態では第１図における下方）に延出している。詳しい図示は省略するが、この配管引き出し用基板１２には、６条の配管配設用の溝が設けられている。この配管引き出し用基板１２の各溝の一端は、配管引き出し用スペース１０ｂに臨む基板１０の各溝２の端部にそれぞれ対面している。
【００９７】
この実施の形態では、該配管引き出し用基板１２の各溝の他端側は、それぞれ、途中で第１図における左方及び右方へ略Ｙ字形に枝分かれしている。各配管配設用溝の枝分かれした後の左端側及び右端側は、それぞれ配管引き出し用基板１２の左辺及び右辺に臨んでいる。
【００９８】
床暖房マット１から配管引き出し用基板１２上に引き出された各温水配管３は、この溝に沿って第１図における左方及び右方のいずれにも引き回すことができるようになっている。この実施の形態では、各温水配管３は、この配管引き出し用基板１２の溝に沿って第１図における右方へ引き回されている。
【００９９】
この実施の形態では、該配管引き出し用基板１２の右辺に、配管引き回し用基板１３が接続されている。この配管引き回し用基板１３は、床暖房マット１の下辺に沿って該配管引き出し用基板１２から右方へ延在している。この配管引き回し用基板１３の右端側にヘッダ４が設置されている。
【０１００】
この配管引き回し用基板１３にも、６条の配管配設用の溝（図示略）が設けられている。この配管引き回し用基板１３の各溝は、一端側が配管引き出し用基板１２の各溝に連なり、他端側がヘッダ４に臨んでいる。配管引き出し用基板１２上に引き出された各温水配管３は、この配管引き回し用基板１３の各溝に沿ってヘッダ４まで導かれ、それぞれ両端が該ヘッダ４に接続されている。
【０１０１】
この実施の形態では、該配管引き出し用基板１２及び配管引き回し用基板１３は、それぞれ床暖房マット１の各基板１０と略同じ厚さとなっている。
【０１０２】
図示は省略するが、この実施の形態では、該配管引き出し用基板１２及び配管引き回し用基板１３においても、これらの周縁部の上面レベルがダミー材３０の上面と略同レベルとなるように、これらの周縁部付近の上面が該周縁部側ほど下位となるように傾斜している。この配管引き出し用基板１２及び配管引き回し用基板１３の傾斜部の構成も、各基板１０の傾斜部１０ａと同様となっている。
【０１０３】
必要に応じ、配管引き出し用基板１２及び配管引き回し用基板１３の各溝にも均熱板６が装着される。また、必要に応じ、該配管引き出し用基板１２及び配管引き回し用基板１３の上面にも均熱シート５が貼り付けられる。
【０１０４】
次に、この実施の形態における暖房床の施工手順について説明する。
【０１０５】
まず、第１図のように、室の床下地Ｆ上に床暖房マット１を広げて敷く。また、ヘッダ４を所定の設置スペース（前述の通り、この実施の形態では床暖房マット１の右下方）に設置する。次いで、この床暖房マット１の配管引き出し用スペース１０ｂに配管引き出し用基板１２を嵌め込むと共に、この床暖房マット１の下辺に沿って該配管引き出し用基板１２とヘッダ４との間に配管引き回し用基板１３を設置する。次いで、該配管引き出し用スペース１０ｂから床暖房マット１外に引き出されている各温水配管３を、配管引き出し用基板１２及び配管引き回し用基板１３の各溝に沿ってヘッダ４まで引き回し、これらの先端をそれぞれヘッダ４に接続する。
【０１０６】
次に、これらの床暖房マット１、ヘッダ４、配管引き出し用基板１２及び配管引き回し用基板１３の周囲に、床下地Ｆの残りの部分を覆うようにダミー材３０を敷設する。この際、床暖房マット１及び各基板１２，１３の周縁部とダミー材３０との間に、温水配管３の熱膨張に伴う該床暖房マット１及び各基板１２，１３の伸張を許容するための隙間をあけておく。この隙間の幅は、通常、１〜５ｍｍ、特に２ｍｍ程度であることが好ましい。
【０１０７】
なお、ダミー材３０の施工時期はこれに限定されるものではなく、例えば床下地Ｆ上に床暖房マット１、ヘッダ４、配管引き出し用基板１２及び配管引き回し用基板１３の設置スペースを残して先にダミー材３０を敷設し、後から床暖房マット１等を設置するようにしてもよい。
【０１０８】
次いで、床暖房マット１の各小根太２０及び各小小根太２１の上面とダミー材３０の上面とにそれぞれ接着剤３１を塗付する。この際、通常、第７図に示すように、ダミー材３０においては、該ダミー材３０の上面のうち各小根太２０及び小小根太２１の延長線上に位置する帯状の領域にのみ接着剤３１を塗付する。ただし、接着剤３１の塗付領域はこれに限定されるものではなく、例えばダミー材３０の上面全体に接着剤３１を塗付してもよい。
【０１０９】
その後、これらの上から室の床全体を覆うように床仕上げ材４０を敷設する。この実施の形態では、前述の通り、床仕上げ材４０はフローリング材である。詳しい図示は省略するが、この床仕上げ材４０は、その長手方向を各小根太２０の延在方向と略直交方向として配設される。また、各床仕上げ材４０は、床暖房マット１上に敷設された際に、その長側辺がいずれも各連結部１１に重ならず、必ず、各連結部１１を挟んだ小根太２０又は小小根太２１の一方に重なるように配設される。このようにすることにより、各床仕上げ材４０の長側辺を必ず小根太２０又は小小根太２１に釘打ちすることが可能となる。
【０１１０】
この床仕上げ材４０は、第４，５図に示すように、床暖房マット１とダミー材３０との上面とに跨って敷設される。この際、床暖房マット１の周縁部付近においては、床仕上げ材４０が床暖房マット１の上面の傾斜部１０ａ，２２に沿って湾曲して該床暖房マット１の上面レベルからダミー材３０の上面レベルまで下降する。なお、この際、第５図のように、床暖房マット１の周縁部に臨む各小根太２０及び小小根太２１上、並びにこの床暖房マット１の周縁部付近のダミー材３０上の接着剤３１が傾斜部１０ａ，２２と床仕上げ材４０との間に回り込み、これらの間に接着剤３１が充填される。
これにより、暖房床の施工が完了する。
【０１１１】
このようにして構築された暖房床にあっては、床仕上げ材４０は、床暖房マット１の周縁部付近において、この床暖房マット１の上面に形成された傾斜部１０ａ，２２に沿って緩やかに床暖房マット１の上面レベルからダミー材３０の上面レベルまで下降しているので、この床仕上げ材４０のうち床暖房マット１に重なった部分の上面とダミー材３０に重なった部分の上面とのレベル差が視認されにくく、見栄えが良い。また、居住者等が床に触れたときに、このレベル差が感取されにくく、座り心地や歩き心地も良い。
【０１１２】
この実施の形態では、床暖房マット１の各基板１０の厚さＨ１は、温水配管３の外径φと略同等となっているので、床暖房マット１の全体の厚さも小さいものとなっている。また、この床暖房マット１の周囲に敷設されたダミー材３０も、各基板１０より１サイズ厚さが小さいものとなっている。これにより、暖房床が構築された室とそれ以外の室との間の床レベル差を小さくすることができる。
【０１１３】
［請求項５の実施の形態に係る暖房床］
第８図は請求項５の実施の形態に係る暖房床の平面図、第９図は第８図のIX−IX線に沿う断面図、第１０図は床仕上げ材敷設後の第９図と同様部分の断面図、第１１図は第８図のXI−XI線に沿う断面図である。なお、第８図では均熱シート、均熱板及び床仕上げ材の図示が省略されている。第９，１０図においては、基板の溝の底面を塞ぐ裏張りシートの図示が省略されている。
【０１１４】
第８図の通り、略長方形状の室の床下地Ｆ上に略長方形状の床暖房マット１Ａが敷設され、その周囲に板状のダミー材３０が敷設されている。また、このダミー材３０の上面のうち床暖房マット１Ａの周縁部の近傍領域にシート５０が敷設されている。そして、これらの床暖房マット１Ａ、ダミー材３０及びシート５０の上から床仕上げ材４０が敷設されることにより、暖房床が構築されている。この暖房床においても、ダミー材３０は、床暖房マット１Ａよりも厚さが小さいものとなっている。床仕上げ材４０は、シート５０を跨いで床暖房マット１Ａの上面からダミー材３０の上面まで連続して延在するように敷設されている。
【０１１５】
この実施の形態における床暖房マット１Ａは、第９〜１１図の通り、その周縁部付近の上面に傾斜部１０ａ，２２が形成されていないこと以外は、前述の第１〜７図の実施の形態における床暖房マット１と同様の構成となっている。また、図示は省略するが、この床暖房マット１Ａからヘッダ４に各温水配管３を導くための配管引き出し用基板１２及び配管引き回し用基板１３も、それぞれ、その周縁部付近の上面に傾斜部が形成されていないこと以外は、前述の実施の形態と同様の構成となっている。
【０１１６】
ダミー材３０も、前述の実施の形態と同様のものである。
【０１１７】
シート５０は、接着剤浸透性を有する材料にて構成されている。このシート５０の材料としては、例えば不織布や紙等が好適である。このシート５０を構成する不織布又は紙としては、ポリエステル製や和紙製のものが好適である。
【０１１８】
なお、シート５０の材質はこれに限定されない。
【０１１９】
この実施の形態では、シート５０は、帯状のものであり、第８図の通り、床暖房マット１Ａ、配管引き出し用基板１２及び配管引き回し用基板１３の周縁部に沿ってこれらを取り巻くように延設されている。
【０１２０】
このシート５０の厚さは、０．２〜１ｍｍ、特に０．４〜０．６ｍｍ程度であることが好ましく、とりわけ床暖房マット１Ａの上面とダミー材３０の上面とのレベル差（Ｈ１−Ｈ２）±０．５〜１ｍｍ、特にＨ１−Ｈ２±０．５〜０．７ｍｍ程度であることが好ましい。
【０１２１】
このシート５０の幅、即ちダミー材５０上に敷設された状態における床暖房マット１Ａからの離反方向の幅Ｗ２（第９図）は、５〜１００ｍｍ、特に２０〜５０ｍｍ程度であることが好ましい。
【０１２２】
このシート５０は、該幅方向の一端側が床暖房マット１Ａの周縁部に接するように配設されていてもよく、床暖房マット１Ａの周縁部から若干（例えば２〜５ｍｍ程度）離隔して配設されてもよい。
【０１２３】
このシート５０の下面には、予め、ダミー材３０への貼り付け用の粘着材等が付着されていてもよい。
【０１２４】
この実施の形態のその他の構成は、前述の第１〜７図の実施の形態と同様であり、第８〜１１図において、第１〜７図と同一符号は同一部分を示している。
【０１２５】
次に、この実施の形態における暖房床の施工手順について説明する。
【０１２６】
まず、第８図のように、室の床下地Ｆ上に床暖房マット１Ａを広げて敷く。また、ヘッダ４を所定の設置スペース（この実施の形態でも、第８図における床暖房マット１Ａの右下方）に設置する。次いで、この床暖房マット１Ａの配管引き出し用スペース１０ｂに配管引き出し用基板１２を嵌め込むと共に、この床暖房マット１Ａの下辺に沿って該配管引き出し用基板１２とヘッダ４との間に配管引き回し用基板１３を設置する。次いで、該配管引き出し用スペース１０ｂから床暖房マット１Ａ外に引き出されている各温水配管３を、配管引き出し用基板１２及び配管引き回し用基板１３の各溝に沿ってヘッダ４まで引き回し、これらの先端をそれぞれヘッダ４に接続する。
【０１２７】
次に、これらの床暖房マット１Ａ、ヘッダ４、配管引き出し用基板１２及び配管引き回し用基板１３の周囲に、床下地Ｆの残りの部分を覆うようにダミー材３０を敷設する。この際、床暖房マット１Ａ及び各基板１２，１３の周縁部とダミー材３０との間に、温水配管３の熱膨張に伴う該床暖房マット１Ａ及び各基板１２，１３の伸張を許容するための隙間をあけておく。この隙間の幅は、通常、１〜５ｍｍ、特に２ｍｍ程度であることが好ましい。
【０１２８】
次いで、床暖房マット１Ａ、配管引き出し用基板１２及び配管引き回し用基板１３の周縁部に沿ってこれらを取り巻くように、ダミー材３０の上面のうちこれらの周縁部の近傍領域にシート５０を敷設する。この際、シート５０は、施工途中にずれないようにダミー材３０の上面に貼り付けられてもよく、単にダミー材３０上に載置されるだけでもよい。
【０１２９】
なお、ダミー材３０の施工時期はこれに限定されるものではなく、例えば床下地Ｆ上に床暖房マット１Ａ、ヘッダ４、配管引き出し用基板１２及び配管引き回し用基板１３の設置スペースを残して先にダミー材３０を敷設し、後から床暖房マット１Ａ等を設置するようにしてもよい。また、シート５０は、ダミー材３０の敷設後に該ダミー材３０の上に敷設されてもよく、予めダミー材３０の上面に貼り付けられていてもよい。
【０１３０】
次いで、床暖房マット１Ａの各小根太２０及び各小小根太２１の上面とダミー材３０の上面とにそれぞれ接着剤３１を塗付する。この際、前述の実施の形態と同様に、通常、ダミー材３０においては、該ダミー材３０の上面のうち各小根太２０及び小小根太２１の延長線上に位置する帯状の領域にのみ接着剤３１を塗付する。ただし、接着剤３１の塗付領域はこれに限定されるものではなく、例えばダミー材３０の上面全体に接着剤３１を塗付してもよい。
【０１３１】
この接着剤３１は、シート５０にも塗布されてもよい。この場合、該シート５０のうち各小根太２０及び小小根太２１の延長線上に位置する帯状の領域にのみ接着剤３１を塗付してもよく、シート５０の全体に塗布されてもよい。
【０１３２】
その後、これらの上から室の床全体を覆うように床仕上げ材４０を敷設する。この実施の形態でも、床仕上げ材４０はフローリング材である。この床仕上げ材４０の向きや配置位置等は前述の実施の形態と同様である。
【０１３３】
この床仕上げ材４０は、第９〜１１図の通り、シート５０を跨いで床暖房マット１Ａの上面からダミー材３０の上面まで延在するように敷設される。この際、該床仕上げ材４０のうちシート５０に重なった部分は、このシート５０を押し潰しながら緩やかに床暖房マット１Ａの上面レベルからダミー材３０の上面レベルまで下降する。なお、この際、シート５０に接着剤３１が浸透するため、床仕上げ材４０のうちシート５０に重なった部分は、このシート５０に浸透した接着剤３１によってダミー材３０に接着される。
これにより、暖房床の施工が完了する。
【０１３４】
このようにして構築された暖房床にあっては、ダミー材３０の上面のうち床暖房マット１Ａの周縁部近傍領域と床仕上げ材４０との間にシート５０が介在しており、床仕上げ材４０は、このシート５０を押し潰しながら緩やかに床暖房マット１Ａの上面レベルからダミー材３０の上面レベルまで下降しているので、この床仕上げ材４０のうち床暖房マット１Ａに重なった部分の上面とダミー材３０に重なった部分の上面とのレベル差が視認されにくく、見栄えが良い。また、居住者等が床に触れたときに、このレベル差が感取されにくく、座り心地や歩き心地も良い。
【０１３５】
また、床仕上げ材４０のうちシート５０に重なった部分は、このシート５０に浸透した接着剤３１によってダミー材３０に接着されるため、この部分においても床仕上げ材４０がしっかりとダミー材３０に固定される。
【０１３６】
［請求項７の実施の形態に係る暖房床］
第１２図は請求項７の実施の形態に係る暖房床に用いられる床暖房マット１Ａの周縁部付近の断面図である。
【０１３７】
この実施の形態では、シート５０が予め床暖房マット１Ａの周縁部に連結されたものとなっている。
【０１３８】
第１２図の通り、この実施の形態では、該シート５０は、その幅方向の一端側の側辺が床暖房マット１Ａの基板１０の側端面に突き合わされ、且つその上面が該基板１０の上面と略面一となるように配置されている。そして、均熱シート５がこれらの基板１０とシート５０の上面とに跨って配置され、接着剤等によりこれらに連続して貼り付けられることにより、該シート５０が床暖房マット１Ａの周縁部に連結される。なお、第１２図では、均熱シート５は、シート５０の上面のうち床暖房マット１Ａ側の一部の領域にのみ重なっているが、シート５０の上面全体に均熱シート５が重なっていてもよい。
【０１３９】
シート５０の床暖房マット１Ａへの連結方法はこれに限定されるものではなく、例えば、シート５０の幅方向の一端側の側辺に接着剤を塗布し、この接着剤によりシート５０を基板１０の側端面に接着してもよい。
【０１４０】
この実施の形態のその他の構成は、前述の第８〜１１図の実施の形態と同様であり、第１２図において、第８〜１１図と同一符号は同一部分を示している。
【０１４１】
この実施の形態にあっては、シート５０が床暖房マット１Ａの周縁部に予め連結されているので、暖房床を施工する際に床暖房マット１Ａの敷設作業とシート５０の敷設作業とを別々に行わなくても済むため、暖房床の施工作業が容易化される。
【０１４２】
［その他の構成］
上記の各実施の形態では、配管引き出し用基板１２は、温水配管３を床暖房マット１，１Ａの配管引き出し用スペース１０ｂから第１，８図における下方へ引き出し、その後、左右いずれか又はいずれにも引き回せるように構成されているが、配管引き出し用基板の構成はこれに限定されない。
【０１４３】
例えば、第１３図の配管引き出し用基板１２’は、温水配管３を床暖房マット１の配管引き出し用スペース１０ｂから第１３図の下方へ引き出し、次いで第１３図の左方に引き回した後、床暖房マット１の左辺に沿って第１３図の上下いずれか又はいずれにも引き回せるように構成されている。
【０１４４】
もちろん、これ以外の配管引き回しルートを有した配管引き出し用基板を用いることもできる。
【０１４５】
本発明においては、配管引き出し用スペース１０ｂにヘッダ４を設置し、この配管引き出し用スペース１０ｂ内において各温水配管３をヘッダ４に接続するように構成してもよい。
【０１４６】
［材質等］
上記各部材の材質の一例として次のものが挙げられるが、これらに限定されるものではない。
【０１４７】
床暖房マットの基板を構成する基板としては、例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【０１４８】
小根太としては、木材や、釘打ち可能な合成木材又は合成樹脂あるいは合成樹脂発泡体等が好ましい。図示は省略するが、小根太本体の上下両面に補強板を貼り付けた構成であってもよい。
【０１４９】
均熱シート及び均熱板としては、アルミ又は銅等の金属箔が好ましい。
【０１５０】
均熱シートの表面にポリエチレンテレフタレート等のフィルムをラミネートすることにより、温調マットの梱包時や運搬時等に均熱シートの破損を防止することができる。なお、このフィルムの材質はポリエチレンテレフタレート以外であってもよい。
【０１５１】
温水配管としては、可撓性のポリエチレン等の合成樹脂チューブや銅パイプが例示される。
【０１５２】
なお、上記の実施の形態は、いずれも本発明の一例を示すものであり、本発明は図示の構成に限定されない。
【０１５３】
本発明においては、温調マットを構成する基板の枚数に特に制限はなく、上記以外の枚数の基板を用いて温調マットを構成してもよい。上記の実施の形態では、床暖房マット１，１Ａは複数の小マットＡ〜Ｄを配列してなるものであるが、全体が小マットに分割されない１個のマットであってもよい。上記の枚数以外の枚数の小マットを配列したものであってもよい。
【０１５４】
上記の実施の形態は、配管に温水を流通させて暖房する暖房床であるが、冷媒を流通させて冷房に使用してもよい。また、水以外のオイル、不凍液等の熱媒体を流通させてもよい。
【図面の簡単な説明】
【０１５５】
【図１】請求項１の実施の形態に係る暖房床の平面図である。
【図２】図１のII−II線に沿う断面図である。
【図３】床暖房マット１の図２と同様部分の分解断面図である。
【図４】図２のIV部分の拡大断面図である。
【図５】床仕上げ材敷設後の図４と同様部分の断面図である。
【図６】図１のVI−VI線に沿う断面図である。
【図７】接着剤塗付後の床暖房マット１の周縁部付近の平面図である。
【図８】請求項５の実施の形態に係る暖房床の平面図である。
【図９】図８のIX−IX線に沿う断面図である。
【図１０】床仕上げ材敷設後の図９と同様部分の断面図である。
【図１１】図８のXI−XI線に沿う断面図である。
【図１２】請求項７の実施の形態に係る暖房床の床暖房マット周縁部の断面図である。
【図１３】別の実施の形態に係る暖房床の平面図である。
【符号の説明】
【０１５６】
１，１Ａ  床暖房マット
２  配管配設用溝
３  温水配管
５  均熱シート
６  均熱板
６ａ  Ｕ字部
６ｂ  フランジ部
１０  基板
２０  小根太
２１  小小根太
３０  ダミー材
４０  床仕上げ材
５０  シート
【図１】
2010096406.tif 000003
【図２】
2010096406.tif 000004
【図３】
2010096406.tif 000005
【図４】
2010096406.tif 000006
【図５】
2010096406.tif 000007
【図６】
2010096406.tif 000008
【図７】
2010096406.tif 000009
【図８】
2010096406.tif 000010
【図９】
2010096406.tif 000011
【図１０】
2010096406.tif 000012
【図１１】
2010096406.tif 000013
【図１２】
2010096406.tif 000014
【図１３】
2010096406.tif 000015